(57)【要約】【課題】カメラ設置装置を袋体に収容し、両手を自由に使えるというザックの本来の利点を維持しつつ、重量バランスを良くして、背負いやすく、歩きやすいカメラ用ザックを提供する。【解決手段】上端に上側蓋体４１を備えた袋体３を有するカメラ用ザック１において、袋体３内で、袋体３の左右方向の中央部、かつ、背当て部２に接する背当て部２側に、上側蓋体４１の下側に向けてカメラ設置装置収容部１０を設けるとともに、このカメラ設置装置収容部１０の下側であって、袋体３の下端に下側蓋体８１を設け、さらに、袋体３の上端の上側蓋体４１の部分に可撓性でナイロン製の上側筒体４３を設け、この上側筒体４３の上端部に紐状の上側端部縮閉拡開手段４４を設け、袋体３の下端の下側蓋体８１の部分に可撓性でナイロン製の下側筒体８３を設け、この下側筒体４３の下端部に紐状の下側端部縮閉拡開手段８４を設けた。【選択図】図８
2008209892.tif 000002
【特許請求の範囲】
【請求項１】
背当て部の前側に、上端に上側蓋体を備えた袋体が設けられ、前記背当て部の後側に一対のショルダーベルトが設けられたカメラ用ザックにおいて、
前記袋体内で、前記袋体の左右方向の中央部、かつ、前記背当て部に接する前記背当て部側に、前記上側蓋体の下側へ向けてカメラ設置装置収容部を設けた、
ことを特徴とするカメラ用ザック。
【請求項２】
請求項１に記載のカメラ用ザックにおいて、
前記袋体の前記上側蓋体の部分に可撓性の上側筒体を設け、この上側筒体の上端部に上側端部縮閉拡開手段を設けた、
ことを特徴とするカメラ用ザック。
【請求項３】
請求項２に記載のカメラ用ザックにおいて、
前記袋体の下端であって、前記カメラ設置装置収容部の下側に下側蓋体を設けた、
ことを特徴とするカメラ用ザック。
【請求項４】
請求項３に記載のカメラ用ザックにおいて、
前記袋体の前記下側蓋体の部分に可撓性の下側筒体を設け、この下側筒体の下端部に下側端部縮閉拡開手段を設けた、
ことを特徴とするカメラ用ザック。
【発明の詳細な説明】
【技術分野】
【０００１】
本発明は、プロのカメラマン及びその他の写真愛好家等が、山、海等の野外でカメラ撮影するための機材を携帯・運搬するカメラ用ザックに関する。
【背景技術】
【０００２】
カメラが着脱される雲台、及びこの雲台に対して一本の脚又は開閉自在とされる三本の脚を備えた、一般に一脚又は三脚と称されるカメラ設置装置は、カメラで撮影を行う際の重要なアイテムの一つとして、プロ又はアマを問わずカメラマンたちの間で愛用されている。また、代表的な精密機器であるカメラ等を野外で携帯・運搬するために使用されるソフトタイプのカメラ用ザックは、従来、クッション部材で構成された仕切板で袋体内を複数の部屋に区分けし、各部屋にカメラ等の精密機器を収容し、外部からの衝撃による精密機器の損傷を回避しつつ、身体へのフィット感、歩行のしやすさ等の機能を有するものが汎用されている。  
【０００３】
しかし、カメラマンは、カメラ設置装置の大きさ及び形状等との関係から、カメラ設置装置をカメラ用ザックの袋体内に収容せず、手に持って又は肩に担いで携帯・運搬したり、袋体の外部にバンド等を使って固定することにより携帯・運搬している。なお、カメラ設置装置を袋体の正面部に固定して携帯・運搬するカメラ用ザックの例として、特許文献１にて提案されているものを挙げることができる。
【特許文献１】特開２００５−２９９９０８号公報
【発明の開示】
【発明が解決しようとする課題】
【０００４】
上記のカメラ用ザックでは、カメラ設置装置を野外で携帯・運搬する際、カメラマンがカメラ設置装置を手に持ったり、肩に担いで携帯・運搬するので、両手を自由に使えるというザックの本来の利点が失われている。また、カメラ設置装置は相当な重量物であるため、多くの場合、カメラ用ザックの左右の側部又は背当て部と対向する正面部にバンド等を使って固定して携帯・運搬される。そうすると、カメラ用ザックの重量バランスが悪くなるため、上記のカメラ用ザックは、カメラマンにとって背負いづらくて、歩きづらいものとなる課題がある。
【０００５】
本発明は、上記課題に鑑み提案されたもので、両手を自由に使えるというザックの本来の利点を生かしつつ、重量バランスを良くし、カメラマンにとって背負いやすくて、歩きやすいカメラ用ザックを提供することを目的とする。
【課題を解決するための手段】
【０００６】
本発明は、上記目的を達成するために、背当て部の前側に、上端に上側蓋体を備えた袋体が設けられ、背当て部の後側に一対のショルダーベルトが設けられたカメラ用ザックにおいて、袋体内で、袋体の左右方向の中央部、かつ、背当て部に接する背当て部側に、上側蓋体の下側へ向けてカメラ設置装置収容部を設けたことを特徴とする。
【０００７】
そして、上記カメラ用ザックにおいて、袋体の上側蓋体の部分に可撓性の上側筒体を設け、この上側筒体の上端部に上側端部縮閉拡開手段を設けることが好ましく、さらに、袋体の下端であって、カメラ設置装置収容部の下側に下側蓋体を設けることが好ましい。また、袋体の下側蓋体の部分に可撓性の下側筒体を設け、この下側筒体の下端部に下側端部縮閉拡開手段を設けることが、さらに好ましい。
【発明の効果】
【０００８】
本発明では、カメラ用ザックの袋体内にカメラ設置装置収容部を設けたので、カメラ設置装置をカメラ設置装置収容部内に収容することができる。また、カメラ設置装置収容部を、袋体の上端に設けた上側蓋体の下側へ向けて設けたので、カメラ設置装置がカメラ設置装置収容部の高さに比して高く、カメラ設置装置の一部がカメラ設置装置収容部に収容されない場合にも、上側蓋体を開き、袋体の上端からカメラ設置装置の一部を突出させることにより、カメラ設置装置をカメラ用ザックに収容して携帯・運搬することができ、両手を自由に使えるというザック本来の利点を生かすことができる。さらに、カメラ設置装置収容部を、袋体内で、袋体の左右方向の中央部、かつ、背当て部に接する背当て部側に、上側蓋体の下側へ向けて設けたので、カメラ設置装置が確実に利用者の背中に接近した位置に収容されて重量バランスが良くなり、利用者にとって背負いやすくて、歩きやすいカメラ用ザックを提供することができる。
【０００９】
特に、上記カメラ用ザックの袋体の上端の上側蓋体の部分に可撓性の上側筒体を設け、この上側筒体の上端部に上側端部縮閉拡開手段を設けたので、上側端部縮閉拡開手段によりカメラ設置装置の雲台と一本の脚又は開閉自在とされる三本の脚との間の支点部を縛ることで、カメラ設置装置がカメラ設置装置収容部内に収容される大きさである場合に、カメラ設置装置を吊り下げるようにしてカメラ設置装置収容部に収容することができるため、カメラ設置装置をバランスよく確実に利用者の背中に接近した位置に収容することができて、利用者にとって背負いやすくて、歩きやすいカメラ用ザックを提供することができる。また、上側端部縮閉拡開手段によりカメラ設置装置の支点部を縛ると、カメラ設置装置の自重により、可撓性の上側筒体がカメラ設置装置とともにカメラ設置装置収容部に収容されるため、袋体の上端の上側蓋体を閉めることが可能となり、雨天時にカメラ設置装置を収容して携帯・運搬しても、カメラ設置装置収容部に雨水等が浸入することを防ぐことができる。
【００１０】
また、上記カメラ用ザックの袋体の下端であって、カメラ設置装置収容部の下側に下側蓋体を設けたので、カメラ設置装置が大型、長脚である場合に、上側蓋体および下側蓋体を開き、さらに、上側蓋体の部分に設けた上側筒体の上側端部縮閉拡開手段によりカメラ設置装置の支点部を縛るとともに、袋体の下端の下側蓋体を開いて形成される開口部から、カメラ設置装置収容部に収容されないカメラ設置装置の一本の脚又は三本の脚の一部を下側に突出させることにより、カメラ設置装置をカメラ設置装置収容部に収容することができる。特に、可撓性の上側筒体の上側端部縮閉拡開手段によりカメラ設置装置の支点部を縛ると、カメラ設置装置の自重により、可撓性の上側筒体がカメラ設置装置とともにカメラ設置装置収容部に収容され、袋体の上側蓋体を閉めることが可能となるため、カメラ設置装置収容部に収容されたカメラ設置装置の高さが利用者の頭部に比して高くならなくなり、利用者は、立ち木、倒木等とカメラ設置装置とが衝突する等の危険を気にすることなく、本発明に係るカメラ用ザックを携帯・運搬することができるほか、雨天時にカメラ設置装置を収容して携帯・運搬しても、カメラ設置装置収容部に雨水等が浸入することを防ぐことができる。また、カメラ設置装置の支点部が、可撓性の上側筒体の上側端部縮閉拡開手段により縛られているので、下側蓋体を開くことで形成される開口部から、カメラ設置装置が落下する心配も解消することができる。
【００１１】
さらに、上記カメラ用ザックの袋体の下側蓋体の部分に可撓性の下側筒体を設け、この下側筒体の下端部に下側端部縮閉拡開手段を設けたので、この下側端部縮閉拡開手段によりカメラ設置装置の一本の脚又は三本の脚を縛ることで、カメラ設置装置の支点部を縛った上側端部縮閉拡開手段と連係させてカメラ設置装置を固定することができるため、カメラ設置装置をバランスよく、より確実に利用者の背中に接近した位置に収容することができ、利用者にとって背負いやすくて、歩きやすいカメラ用ザックを提供することができる。また、可撓性の下側筒体の下端部に設けた下側端部縮閉拡開手段により、袋体の下端から突出しているカメラ設置装置の一本の脚又は三本の脚の一部を縛ると、カメラ設置装置の一本の脚又は三本の脚の一部が袋体の下端から単に突出している状態に比べ、見栄えがよいカメラ用ザックを提供することができる。
【発明を実施するための最良の形態】
【００１２】
以下、実施形態を示す図面に基づいて本発明を詳細に説明する。
図１は、本発明の一実施形態に係るカメラ用ザックの袋体の上端にある外形がＵ字状の上側蓋体及び左側部にある外形がＵ字状の側部蓋体を開放した状態の斜視図、図２は、本発明の一実施形態に係るカメラ用ザックのカメラ設置装置収容部の構成を示す説明図、図３は、本発明の一実施形態に係るカメラ用ザックの中央概略縦断面図、図４は、本発明の一実施形態に係るカメラ用ザックの高さ方向の中央部左半分の概略横断面図である。
図５は、本発明の他の実施形態に係るカメラ用ザックであって、外形がＵ字状の上側蓋体を開放し、上側筒体を上側蓋体の部分から上側へ突出させた状態を左側部側から示した斜視図、図６は、本発明の他の実施形態に係るカメラ用ザックであって、外形がＵ字状の下側蓋体を開放し、下側筒体を下側蓋体の部分から下側へ突出させた状態を左側部側から示した斜視図、図７は、本発明の他の実施形態に係るカメラ用ザックであって、上側蓋体および下側蓋体を閉口するとともに、上側筒体を上側蓋体の部分からカメラ設置装置収容部へ収容し、下側筒体を下側蓋体の部分からカメラ設置装置収容部へ収容した状態を示す中央概略縦断面図、図８は、本発明の他の実施形態に係るカメラ用ザックであって、上側蓋体および下側蓋体を開放し、上側筒体を上側蓋体の部分から上側へ突出させ、下側筒体を下側蓋体の部分から下側へ突出させた状態を示す中央概略縦断面図である。
図９は、本発明の他の実施形態に係るカメラ用ザックであって、カメラ設置装置がカメラ設置装置収容部内に収容される大きさである場合に、カメラ設置装置をカメラ設置装置収容部へ収容した状態を示す説明図、図１０は、本発明の他の実施形態に係るカメラ用ザックであって、カメラ設置装置が大型、長脚である場合に、カメラ設置装置をカメラ設置装置収容部へ収容した状態を示す説明図である。
【００１３】
本発明に係るカメラ用ザック１は、図１に示すように、カメラやレンズ等を収容すると共に、一脚又は三脚等のカメラ設置装置を収容するカメラ設置装置収容部１０を設けた袋体３を有し、カメラマン等の利用者がカメラ設置装置を野外等で携帯・運搬する場合に適している。カメラ用ザック１の外観は、一対の左右のショルダーベルト２ａが後側に設けられた背当て部２と、この背当て部２の前側に設けられた略直方体形状の袋体３とからなる。また、この袋体３は、上端に上側蓋体４１を備えた上部４、左側部５、右側部６（図２参照）、正面部（前面部、前側部）７及び下部８からなる外観を有している。なお、袋体３の背面部（後面部、後側部）は、背当て部２である。
【００１４】
まず、袋体３の上部４には、上記の通り、上端に上側蓋体４１が設けられている。この上側蓋体４１は、背当て部２側に開放したＵ字状の外形をしている。上側蓋体４１のＵ字状の外形の開放部は、背当て部２に接している。そして、上側蓋体４１のＵ字状の外形の開放部を除く辺及びこの辺の外周に対応する上部４には、防水加工された線状ファスナー４１ａが設けられている。この線状ファスナー４１ａは、一個の操作部材４１ｂを備え、袋体３の上端の上側蓋体４１を開閉する。利用者は、操作部材４１ｂを使って線状ファスナー４１ａを外し、上側蓋体４１を開くことができる。
そうすると、袋体３の上部４の上端には、線状ファスナー４１ａに沿って、上部４の開口部４２が形成される。利用者は、この開口部４２から下側へ向け、袋体３内で、袋体３の左右方向の中央部、かつ、背当て部２に接する背当て部２側に設けたカメラ設置装置収容部１０を覗きみることができる。
【００１５】
また、袋体３の左側部５及び右側部６は、袋体３の左側部５及び右側部６の下端部から上端部へかけて設けられた外形がＵ字状の側部蓋体５１をそれぞれ有している。例えば、左側部５のＵ字状の側部蓋体５１は、下部８と接し、側部蓋体５１のＵ字状の開放部として底辺をなす直線辺と、袋体３の左側部５の左前下端から上端部を経て、袋体３の左側部５の左後下端へとＵ字状を形成する曲線辺とから構成されている。そして、左側部５の側部蓋体５１のＵ字状を形成する曲線辺及びこの曲線辺の外周に対応する左側部５には、線状ファスナー５ａが設けられている。
この線状ファスナー５ａは、二個の操作部材５ｂを備え、左側部５の側部蓋体５１を開閉する。利用者は、操作部材５ｂを使って線状ファスナー５ａを外し、左側部５のＵ字状の側部蓋体５１を開くことができる。そうすると、左側部５には、線状ファスナー５ａに沿って、外形がＵ字状の開口部５２が形成される。これにより、利用者は、袋体３の左側部５において、開口部５２から袋体３内へ、カメラ、レンズ等を収容することができる。
【００１６】
このほか、袋体３の正面部７は、図４に示すように、袋体３の内部空間に接する内層生地７ｘ、二枚の中間層生地７ｙ及び外界と接する外層生地７ｚ等、複数の生地により構成され、中間層生地７ｙのうち袋体３の内部空間に近接する一方の中間層生地７ｙと内層生地７ｘとの間には、クッション部材７ｂが備えられている。また、袋体３の正面部７の辺縁には、図１に示すように、袋体３の正面部７の左端部の下端から左上端、右上端を経て、右端部の下端へと連続する線状ファスナー７ａが設けられ、衣服等を収納する平面物収納部が形成されている。外界と接する外層生地７ｚには、正面部７の上下方向の中心部に水平方向に線状ファスナーが設けられている。この線状ファスナーは、外層生地７ｚの正面から見て裏面に接して設けた小物収納部を開閉する。外層生地７ｚの下部にも、正面から見た形状が長方形の箱形で、下側に開放するコの字状に配置した線状ファスナーにより開閉するポケット９が袋体３から外側へ向けて設けられている。
【００１７】
さらに、カメラ用ザック１には、図２に示すように、背当て部２の前側に設けられた袋体３内で、袋体３の左右方向の中央部、かつ、背当て部２に接する背当て部２側に、上側蓋体４１から下側へ向けて、カメラ設置装置収容部１０が設けられている。このカメラ設置装置収容部１０は、袋体３の高さ（上下方向）及び奥行き（前後方向）にそれぞれ対応した辺をもつ二枚の第一の仕切板１１が、前後方向に所定の間隔をあけ、背当て部２と図示されない正面部の内層生地とを連結するように縫着されて構成されている。なお、第一の仕切板１１は、芯材を有する内層材と、この内層材に接し、クッション部材で構成される外層材と、これらを包囲する表面生地とから構成され、扁平な略直方体形状を有している。
【００１８】
ここで、収容するカメラ設置装置の高さが、カメラ設置装置収容部１０の高さに比して高く、カメラ設置装置の一部がカメラ設置装置収容部１０内に収容できない場合のカメラ設置装置のカメラ設置装置収容部１０への収容方法を、図１に基づいて説明する。
この場合、利用者は、まず、袋体３の上部４の一個の操作部材４１ｂを使って防水加工された線状ファスナー４１ａを外し、上側蓋体４１を開く。これにより、上部４に開口部４２が形成され、この開口部４２の直下に設けられているカメラ設置装置収容部１０の上端部が上方に向けて開放される。そして、上端部が上方に向けて開放されたカメラ設置装置収容部１０内にカメラ設置装置の一部を収容して固定することにより、カメラ設置装置収容部１０内に収容されないカメラ設置装置の一部を、カメラ設置装置収容部１０の上端部から上方へ向けて突出させる。
そうすると、カメラ設置装置の一部が確実にカメラ設置装置収容部１０内に収容され、固定されるので、利用者は、収容するカメラ設置装置の高さが、カメラ設置装置収容部１０の高さに比して高い場合にも、カメラ用ザック１にカメラ設置装置を収容して携帯・運搬することができ、両手を自由に使えるというザック本来の利点を生かすことができる。そして、カメラ設置装置収容部１０が、袋体３内で、袋体３の左右方向の中央部、かつ、背当て部２に接する背当て部２側に設けられているので、カメラ設置装置が確実に利用者の背中に接近した位置に収容されて重量バランスが良くなり、利用者にとって背負いやすくて、歩きやすいカメラ用ザック１となる。
【００１９】
また、本発明に係る他の実施形態におけるカメラ用ザック１は、図５に示すように、袋体３の上端の上側蓋体４１の部分に可撓性、例えば、ナイロン製の上側筒体４３が設けられ、この上側筒体４３の上端部に、巾着袋の開閉部のようにして上側筒体４３の上端部を開閉する、例えば、紐状の上側端部縮閉拡開手段４４が設けられている。さらに、図６に示すように、袋体３の下端であって、図示されないカメラ設置装置収容部の下側に下側蓋体８１が設けられ、さらに、下側蓋体８１の部分に可撓性、例えば、ナイロン製の下側筒体８３が設けられ、この下側筒体８３の下端部に、巾着袋の開閉部のようにして下側筒体８３の下端部を開閉する、例えば、紐状の下側端部縮閉拡開手段８４が設けられている。なお、本実施形態におけるカメラ用ザック１のその他の構成、形状は、上記一実施形態と同様である。
【００２０】
そして、下側蓋体８１は、背当て部２側に開放したＵ字状の外形をしている。下側蓋体８１のＵ字状の外形の開放部は、背当て部２に接している。下側蓋体８１のＵ字状の外形の開放部を除く辺及びこの辺の外周に対応する下部８には、防水加工された線状ファスナー８１ａが設けられている。この線状ファスナー８１ａは、一個の操作部材８１ｂを備え、袋体３の下端の下側蓋体８１を開閉する。利用者は、操作部材８１ｂを使って線状ファスナー８１ａを外し、下側蓋体８１を開くことができる。
そうすると、袋体３の下部８の下端には、線状ファスナー８１ａに沿って、下部８の開口部８２が形成される。そして利用者は、図７に示すように、この開口部８２から上側へ向けて、袋体３内で、袋体３の左右方向の中央部、かつ、背当て部２に接する背当て部２側に設けたカメラ設置装置収容部１０を覗きみることができる。また、ナイロン製の下側筒体８３と、この下側筒体８３の下端部に設けられた紐状の下側端部縮閉拡開手段８４とを確認することができる。さらに、利用者は、袋体３の上端の上側蓋体４１を開けた場合に、上部４の開口部４２から下側へ向けて、袋体３内で、袋体３の左右方向の中央部、かつ、背当て部２に接する背当て部２側に設けたカメラ設置装置収容部１０を覗きみることができるとともに、ナイロン製の上側筒体４３と、この上側筒体４３の上端部に設けられた紐状の上側端部縮閉拡開手段４４とを確認することができる。
【００２１】
なお、上側筒体４３および下側筒体８３は、いずれも可撓性を有する材質のもので構成すればよく、ナイロン製のものに限定されない。また、上側端部縮閉拡開手段４４および下側端部縮閉拡開８４も、カメラ設置装置の支点部や一本の脚又は三本の脚を強く固定することができるものであればよく、紐状のものに限定されない。
【００２２】
そして、収容しようとするカメラ設置装置が大型、長脚であって、カメラ設置装置収容部１０の高さに比して非常に高く、袋体３の上端の上側蓋体４１を開いて上部４の開口部４２を形成し、この開口部４２の直下に設けられたカメラ設置装置収容部１０にカメラ設置装置を収容しただけでは、カメラ設置装置収容部１０内に収容されないカメラ設置装置の一部が、利用者の頭部を越えて上方へ向けて突出してしまう場合のカメラ設置装置のカメラ設置装置収容部１０への収容方法を、図８および図９に基づいて説明する。
この場合、利用者は、まず、図８に示すように、上記一実施形態のようにして、袋体３の上端の上側蓋体４１を開いて、カメラ設置装置収容部１０の上端部を上方に向けて開放するとともに、上側蓋体４１の部分に設けられたナイロン製の上側筒体４３を袋体３の上部４の開口部４２から上側へ向けて突出させる。また、袋体３の下部８の一個の操作部材８１ｂを使って防水加工された線状ファスナー８１ａを外し、さらに、袋体３の下端の下側蓋体８１を開いて下部８の開口部８２を形成し、この開口部８２の上側に設けられているカメラ設置装置収容部１０の下端部を、下方に向けて開放するとともに、下側蓋体８１の部分に設けられたナイロン製の下側筒体８３を袋体３の下部８の開口部８２から下側へ向けて突出させる。
続いて、カメラ設置装置Ｐを、袋体３の上部４の開口部４２から上側へ向けて突出させたナイロン製の上側筒体４３、および、袋体３の下部８の開口部８２から下側へ向けて突出させたナイロン製の下側筒体８３の筒内に挿通させつつ、カメラ設置装置収容部１０に収容し、上側筒体４３の上端部に備えた紐状の上側端部縮閉拡開手段４４を使って、カメラ設置装置Ｐの雲台ｓと一本の脚又は開閉自在とされる三本の脚ｌの間との支点部ｆを縛る。最後に、カメラ設置装置Ｐの自重により、上側筒体４３がカメラ設置装置Ｐとともにカメラ設置装置収容部１０に収容されたことを確認した後、袋体３の上側蓋体４１を線状ファスナー４１ａで閉め、さらに、下側筒体８３の下端部に備えた紐状の下側端部縮閉拡開手段８４を使って、カメラ設置装置Ｐの一本の脚又は三本の脚ｌを縛ると、図９に示すような状態となり、この場合のカメラ設置装置Ｐのカメラ設置装置収容部１０への収容が完了する。
【００２３】
これにより、カメラ設置装置収容部１０に収容したいカメラ設置装置Ｐが大型、長脚であっても、上側蓋体４１および下側蓋体８１を開いて、カメラ設置装置Ｐをカメラ設置装置収容部１０に収容するとともに、上側筒体４３の上端部に設けられた紐状の上側端部縮閉拡開手段４４でカメラ設置装置Ｐの支点部ｆを縛り、さらに、カメラ設置装置Ｐの自重により、上側筒体４３がカメラ設置装置Ｐとともにカメラ設置装置収容部１０に収容された後に、上側蓋体４１を線状ファスナー４１ａで閉めるとともに、下側筒体８３の下端部に設けられた紐状の下側端部縮閉拡開手段８４でカメラ設置装置Ｐの一本の脚又は三本の脚ｌを縛ることにより、カメラ設置装置Ｐを、利用者の頭部に比して高くならないようにしてカメラ設置装置収容部１０に収容することができるため、利用者は、カメラ設置装置Ｐの一部が立ち木、倒木等と衝突する等の危険を気にすることなく、大型、長脚のカメラ設置装置Ｐをカメラ用ザックに収容して携帯・運搬することができる。また、雨天時にカメラ設置装置Ｐを収容して携帯・運搬しても、カメラ設置装置収容部１０に雨水等が浸入することを防ぐことができる。
さらに、紐状の上側端部縮閉拡開手段４４でカメラ設置装置Ｐの雲台ｓと一本の脚又は三本の脚ｌとの間の支点部ｆを縛ったので、袋体３の下端の下側蓋体８１が開かれ、下部８の開口部８２が形成されていても、カメラ設置装置Ｐがカメラ用ザック１から落下することがなくなって、確実に利用者の背中に接近した位置に収容することができ、利用者にとって背負いやすくて、歩きやすいカメラ用ザック１を提供することができる。また、下側筒体８３の下端部に設けられた紐状の下側端部縮閉拡開手段８４でカメラ設置装置Ｐの一本の脚又は三本の脚ｌを縛ったので、大型、長脚のカメラ設置装置Ｐを収容したカメラ用ザック１は、カメラ設置装置Ｐの一本の脚又は三本の脚ｌが袋体の下端から単に突出している状態に比べ、見栄えもよい。
【００２４】
なお、本実施形態では、図１０に示すように、カメラ設置装置Ｐがカメラ設置装置収容部内１０に収容される大きさである場合にも、上記一実施形態のようにして、袋体３の上端の上側蓋体４１を開き、カメラ設置装置収容部１０の上端部を上方に向けて開放するとともに、上側蓋体４１の部分に設けられたナイロン製の上側筒体４３を袋体３の上部４の開口部４２から上側へ向けて突出させ、さらに、上側筒体４３の筒内にカメラ設置装置Ｐを挿通させつつ、カメラ設置装置収容部１０に収容し、上側筒体４３の上端部に設けられた紐状の上側端部縮閉拡開手段４４を使って、カメラ設置装置Ｐの雲台ｓと一本の脚又は三本の脚ｌの間との支点部ｆを縛ることで、カメラ設置装置Ｐを吊り下げるようにしてカメラ設置装置収容部１０に収容することができる。そして、このような場合であっても、雨天時にカメラ設置装置Ｐを収容して携帯・運搬しても、カメラ設置装置収容部１０に雨水等が浸入することを防ぐことができるとともに、カメラ設置装置Ｐをバランスよく確実に利用者の背中に接近した位置に収容することができて、利用者にとって背負いやすくて、歩きやすいカメラ用ザックを提供することができる。
【００２５】
なお、上記他の実施形態に係るカメラ用ザックに関し、単に袋体の上端の上側蓋体の部分に可撓性の上側筒体を設け、この上側筒体の上端部に上側端部縮閉拡開手段を設けただけの構成であっても本発明に係るカメラ用ザックを構成することができ、袋体の上端の上側蓋体の部分に可撓性の上側筒体を設け、この上側筒体の上端部に上側端部縮閉拡開手段を設け、袋体の下端であって、カメラ設置装置収容部の下側に下側蓋体を設けただけの構成であっても本発明に係るカメラ用ザックを構成することができる。
【００２６】
以上、本発明の実施形態を詳述したが、本発明は上記実施形態に限定されるものではない。例えば、図２、図３に示すように、袋体３内の背当て部２の表面全体と、袋体３内の正面部７の内層生地７ｘの表面全体（図２示省略）とが雌型面状ファスナー部１３ａを外側にして覆われて形成されている場合のカメラ設置装置収容部１０の設け方を説明する。
この場合、まず、第一の仕切板１１を、第一の仕切板１１の上下方向で幅が狭い前後の面に雄型面状ファスナー部１３ｂを取り付け、二枚の第一の修飾仕切板１１ａとする。また、雌型面状ファスナー部１３ａと第一の修飾仕切板１１ａの雄型面状ファスナー部１３ｂとを介し、第一の修飾仕切板１１ａと袋体３内の背当て部２の表面全体、及び第一の修飾仕切板１１ａと袋体３内の正面部７の内層生地７ｘをそれぞれ接着する。これにより、利用者は、袋体３内で、袋体３の左右方向の中央部、かつ、背当て部２に接する背当て部２側に、上側蓋体４１から下側へ向け、カメラ設置装置収容部１０ａを設けることができる。そうすると、このカメラ設置装置収容部１０ａは、袋体３内で、袋体３の左右方向の中央部、かつ、背当て部２に接する背当て部２側に、上側蓋体４１から下側へ向け、任意な収容空間を形成することができる。これにより、利用者は、収容するカメラ設置装置の形状及び大きさの許容範囲を大きく取ることができる。
【００２７】
また、図２に示すように、上記した袋体３内の背当て部２の表面全体と、袋体３内の正面部７の内層生地７ｘの表面全体（図２示省略）とが雌型面状ファスナー部１３ａの生地で覆われて袋体３内が構成されている場合において、第二の仕切板１２の袋体３内へ接着させる方法を説明する。なお、この第二の仕切板１２には、背当て部２、正面部７の内層生地７ｘ及びカメラ設置装置収容部１０の外側と接着する第二の仕切板１２の幅の狭い三つの面に、雄型面状ファスナー部１３ｂが設けられている。
この場合、カメラ設置装置収容部１０の構成部材である第一の仕切板１１を包囲する表面生地のうち、カメラ設置装置を収容しない側の面の表面に雌型面状ファスナー部１３ａを設ける。そして、第二の仕切板１２に設けられた雄型面状ファスナー部１３ｂが、背当て部２、正面部７の内層生地７ｘ及び第一の仕切板１１のカメラ設置装置を収容しない側にそれぞれ設けられた雌型面状ファスナー部１３ａとそれぞれ接着する。そうすると、袋体３内の左右方向の両端部には、カメラ、レンズ等の収容空間部１４が形成される。このカメラ、レンズ等の収容空間部１４は、第二の仕切板１２が脱着可能で、カメラ、レンズ等の収容空間を任意に設計することができるので、利用者が収容するカメラ、レンズ等の形状及び大きさの許容範囲を大きく取ることができる。
【００２８】
また、上記他の実施形態に係るカメラ用ザックでは、大型、長脚のカメラ設置装置を収容する例を説明したが、カメラ設置装置の他にも、上側筒体の上側端部縮閉拡開手段および下側筒体の下側端部縮閉拡開手段を使って縛ることができる長身のもの、例えば、スキー板等といった野外での携帯・運搬を必要とするもの、をカメラ設置装置収容部に収容して携帯・運搬することも可能である。そして、スキー板等の長身のものを上側筒体の上側端部縮閉拡開手段および下側筒体の下側端部縮閉拡開手段によりそれぞれ縛れば、袋体の下端の下側蓋体が開かれて、下部の開口部が形成されても、カメラ用ザックに収容したスキー板等の長身のものを落下させる心配もない。
【図面の簡単な説明】
【００２９】
【図１】本発明の一実施形態に係るカメラ用ザックの袋体の上端にある外形がＵ字状の上側蓋体及び左側部にある外形がＵ字状の側部蓋体を開放した状態の斜視図である。
【図２】本発明の一実施形態に係るカメラ用ザックのカメラ設置装置収容部の構成を示す説明図である。
【図３】本発明の一実施形態に係るカメラ用ザックの中央概略縦断面図である。
【図４】本発明の一実施形態に係るカメラ用ザックの高さ方向の中央部左半分の概略横断面図である。
【図５】本発明の他の実施形態に係るカメラ用ザックであって、外形がＵ字状の上側蓋体を開放し、上側筒体を上側蓋体の部分から上側へ突出させた状態を左側部側から示した斜視図である。
【図６】本発明の他の実施形態に係るカメラ用ザックであって、外形がＵ字状の下側蓋体を開放し、下側筒体を下側蓋体の部分から下側へ突出させた状態を左側部側から示した斜視図である。
【図７】本発明の他の実施形態に係るカメラ用ザックであって、上側蓋体および下側蓋体を閉口するとともに、上側筒体を上側蓋体の部分からカメラ設置装置収容部へ収容し、下側筒体を下側蓋体の部分からカメラ設置装置収容部へ収容した状態を示す中央概略縦断面図である。
【図８】本発明の他の実施形態に係るカメラ用ザックであって、上側蓋体および下側蓋体を開放し、上側筒体を上側蓋体の部分から上側へ突出させ、下側筒体を下側蓋体の部分から下側へ突出させた状態を示す中央概略縦断面図である。
【図９】本発明の他の実施形態に係るカメラ用ザックであって、カメラ設置装置がカメラ設置装置収容部内に収容される大きさである場合に、カメラ設置装置をカメラ設置装置収容部へ収容した状態を示す説明図である。
【図１０】本発明の他の実施形態に係るカメラ用ザックであって、カメラ設置装置が大型、長脚である場合に、カメラ設置装置をカメラ設置装置収容部へ収容した状態を示す説明図である。
【符号の説明】
【００３０】
１      カメラ用ザック
２      背当て部
２ａ    一対のショルダーベルト
３      袋体
４      上部
４１    上側蓋体
４１ａ  防水加工された線状ファスナー
４１ｂ  防水加工された線状ファスナーの操作部材
４２    上部の開口部
４３    上側筒体
４４    上側端部縮閉拡開手段
５      左側部
５ａ    左側部の線状ファスナー
５ｂ    左側部の操作部材
５１    左側部の外形がＵ字状の側部蓋体
５２    左側部の開口部
６      右側部
７      正面部
７ａ    平面物収納部の線状ファスナー
７ｂ    クッション部材
７ｘ    正面部の内層生地
７ｙ    正面部の中間層生地
７ｚ    正面部の外層生地
８      下部
８１    下側蓋体
８１ａ  防水加工された線状ファスナー
８１ｂ  防水加工された線状ファスナーの操作部材
８２    下部の開口部
８３    下側筒体
８４    下側端部縮閉拡開手段
９      ポケット
１０    カメラ設置装置収容部
１０ａ  カメラ設置装置修飾収容部
１１    第一の仕切板
１１ａ  第一の修飾仕切板
１２    第二の仕切板
１３ａ  雌型面状ファスナー部
１３ｂ  雄型面状ファスナー部
１４    カメラ、レンズ等の収容空間部
Ｐ      カメラ設置装置
ｆ      カメラ設置装置の支点部
ｌ      カメラ設置装置の一本の脚又は三本の脚
ｓ      カメラ設置装置の雲台
【図１】
2008209892.tif 000003
【図２】
2008209892.tif 000004
【図３】
2008209892.tif 000005
【図４】
2008209892.tif 000006
【図５】
2008209892.tif 000007
【図６】
2008209892.tif 000008
【図７】
2008209892.tif 000009
【図８】
2008209892.tif 000010
【図９】
2008209892.tif 000011
【図１０】
2008209892.tif 000012